(57)【要約】【課題】耐炎性に優れた樹脂製の燃料タンクの取付構造を提供する。【解決手段】燃料を貯留するタンク本体２に一体に成形される固定片３と、固定片３に設けられた貫通孔３１に挿通される筒本体４１と、固定片３における車体５とは反対側に配置され、筒本体４１の外周からその径方向外側に延設されるフランジ部４２とを有する金属カラー４と、金属カラー４に挿通されて、車体５にタンク本体２を固定する締結部材とを備え、金属カラー４のフランジ部４２は、固定片３における車体４とは反対側の面に当接される当接部４３と、当接部４３の外周からその径方向外側に、固定片３における車体５とは反対側から離れる方向に傾斜して延設される傾斜部４５を有する外側フランジ部４４を備えている。【選択図】図３
2020142722.tif 000002
【特許請求の範囲】
【請求項１】
樹脂からなる燃料タンクを車体に取付ける燃料タンクの取付け構造であって、
燃料を貯留するタンク本体に一体に成形される固定片と、
該固定片に設けられた貫通孔に挿通される筒本体と、前記固定片における前記車体とは反対側に配置され、前記筒本体の外周からその径方向外側に延設されるフランジ部とを有する金属カラーと、
前記金属カラーに挿通されて、前記車体に前記タンク本体を固定する締結部材とを備え、
前記金属カラーの前記フランジ部は、
前記固定片における前記車体とは反対側の面に当接される当接部と、
前記当接部の外周からその径方向外側に、前記固定片における前記車体とは反対側から離れる方向に傾斜して延設される傾斜部を有する外側フランジ部を備えていることを特徴とする燃料タンクの取付構造。
【請求項２】
前記傾斜部は、直線形状または／及び凸状の弧を有する形状である請求項１に記載の燃料タンクの取付構造。
【請求項３】
樹脂からなる燃料タンクを車体に取付ける燃料タンクの取付け構造であって、
燃料を貯留するタンク本体に一体に成形される固定片と、
該固定片に設けられた貫通孔に挿通される筒本体と、前記固定片における前記車体とは反対側に配置され、前記筒本体の外周からその径方向外側に延設されるフランジ部とを有する金属カラーと、
前記金属カラーに挿通されて、前記車体に前記タンク本体を固定する締結部材とを備え、
前記固定片は、車体下方向、若しくは車体上下方向において、前記貫通孔近傍に肉厚部を有し、
前記金属カラーの前記フランジ部は、
前記固定片の前記肉厚部に当接される当接部と、
前記当接部の外周からその径方向外側に延設される外側フランジ部を有することを特徴とする燃料タンクの取付構造。
【発明の詳細な説明】
【技術分野】
【０００１】
本発明は、耐炎性に優れた、車体に燃料タンクを取付ける燃料タンクの取付け構造に関する。
【背景技術】
【０００２】
自動車の燃料タンクとして、軽量化と車内空間の拡大に寄与する樹脂製のものが利用されている。この樹脂製のタンクを車体に取付ける構造として、図１０及び図１１に示すように、燃料を貯留する燃料タンク１００のタンク本体２００に複数の支持ブラケット３００を一体に成形し、支持ブラケット３００と車体５００の固定箇所にボルト７００を挿通し、車体５００に固着されるナット８００に締め付けて固定する構造が開示されている（特許文献１の図４）。支持ブラケット３００は、燃料タンク１００の側面部から水平方向に突出して形成され、ボルト７００の挿通孔（ボルト孔）３１０には、支持ブラケット３００を貫通する金属カラー４００が取付けられている。（特許文献１）
【０００３】
金属カラー４００は、図１１（図１０のＢ部拡大図）に示すように、円筒状の筒本体４１０と、筒本体４１０の外周からその径方向外側に延設される円環状のフランジ部４２０とからなる鍔付金具である。フランジ部４２０は、支持ブラケット３００における車体５００の固定箇所とは反対側の面（車両上下方向の下面）に配置されている。
【先行技術文献】
【特許文献】
【０００４】
【特許文献１】特開２０１１−１９４９１６号公報
【発明の概要】
【発明が解決しようとする課題】
【０００５】
ところで、上記の樹脂製のタンクを車体に取付ける構造において、燃料タンク１００本体の下方が炎に曝された場合、この炎によって、フランジ部４２０が過熱されて、支持ブラケット３００を構成する樹脂が軟化したり、溶融したりして、車体５００に対する燃料タンク１００の固定状態が緩んだり、溶融が進むと最悪の場合、燃料タンク１００が落下する可能性がある。
【０００６】
一方、上記の課題発生に対し、下面を覆う熱害プロテクタ等を設けて対応することが考えられるが、熱害プロテクタ設置スペースが必要となり、また、熱害プロテクタ設置に伴う重量増やコスト増になる。
【０００７】
そこで、本発明は、耐炎性に優れた、車体に燃料タンクを取付ける燃料タンクの取付け構造を提供することにある。
【課題を解決するための手段】
【０００８】
上記課題を解決するために請求項１の本発明は、樹脂からなる燃料タンクを車体に取付ける燃料タンクの取付け構造であって、燃料を貯留するタンク本体に一体に成形される固定片と、固定片に設けられた貫通孔に挿通される筒本体と、固定片における車体とは反対側に配置され、筒本体の外周からその径方向外側に延設されるフランジ部とを有する金属カラーと、金属カラーに挿通されて、車体にタンク本体を固定する締結部材とを備え、金属カラーのフランジ部は、固定片における車体とは反対側の面に当接される当接部と、当接部の外周からその径方向外側に、固定片における車体とは反対側から離れる方向に延設される傾斜部を有する外側フランジ部を備えていることを特徴とする燃料タンクの取付構造である。
【０００９】
請求項１の本発明では、金属カラーのフランジ部は、固定片における車体とは反対の面に当接される当接部と、当接部から外周からその径方向外側に、固定片における車体とは反対側から離れる方向に延設される傾斜部を有する外側フランジ部を備えているので、固定片において当接していない外側フランジ部により、筒本体近傍から少し離れた領域が炎に直接曝されることを防止することができる。
【００１０】
燃料タンク本体の下方が炎に曝された場合、この炎によって、金属カラーが過熱され、この熱により、金属カラーのフランジ部の当接部に当接している固定片が軟化・溶融され、固定片は、燃料タンクの重さにより下方に変形するが、金属カラーのフランジ部は、外側フランジ部を備えているので、固定片のフランジ部との接触部が、当接部の外周からその径方向外側に形成されている外側フランジ部に移動する。
【００１１】
その結果、固定片と金属カラーのフランジ部とが一カ所で当接し続けることを防止することができ、例え、金属カラーのフランジ部の当接部に当接している固定片が溶融し、また、溶融し続けた場合であっても、燃料タンクの落下を遅延させることができ、耐炎性を向上させることができる。また、熱害プロテクタ設置スペースが不要となり、また、熱害プロテクタ設置に伴う重量増やコスト増を抑制することができる。
【００１２】
請求項２の本発明は、傾斜部は、直線形状または／及び凸状の弧を有する形状である燃料タンクの取付構造である。請求項２の本発明では、傾斜部は、直線形状または／及び凸状の弧を有する形状であるので、燃料が貯留されている燃料タンクの自重により、固定片が下方に変形を生じる際に、固定片と傾斜部の当接部分が、段階的若しくは連続的に外側フランジ部（燃料タンクのタンク本体側）に移動するので、一カ所で溶融し続けることを防止し、燃料タンクの落下を遅延させることができ、耐炎性を向上させることができる。なお、弧は、円の一部であってもよいし、楕円の一部であってもよい。また、直線と弧を組み合わせてもよい。
【００１３】
請求項３の本発明は、樹脂からなる燃料タンクを車体に取付ける燃料タンクの取付け構造であって、燃料を貯留するタンク本体に一体に成形される固定片と、固定片に設けられた貫通孔に挿通される筒本体と、固定片における車体とは反対側に配置され、筒本体の外周からその径方向外側に延設されるフランジ部とを有する金属カラーと、金属カラーに挿通されて、車体に前記タンク本体を固定する締結部材とを備え、固定片は、車体下方向、若しくは車体上下方向において、貫通孔近傍に肉厚部を有し、金属カラーのフランジ部は、固定片の肉厚部に当接される当接部と、当接部の外周からその径方向外側に延設される外側フランジ部を有することを特徴とする燃料タンクの取付構造である。
【００１４】
燃料タンク本体の下方が炎に曝された場合、この炎によって、金属カラーが過熱され、この熱により、金属カラーのフランジ部の当接部に当接している固定片の肉厚部が軟化・溶融され、固定片は、燃料タンクの重さにより下方に変形する。請求項３の本発明では、固定片は、車体下方向、若しくは車体上下方向において、貫通孔近傍に肉厚部を有し、金属カラーのフランジ部は、固定片の肉厚部に当接される当接部と、当接部の外周からその径方向外側に延設される外側フランジ部を有しているので、変形した固定片が、さらに当接部の外周からその径方向外側に形成されている外側フランジ部（燃料タンクのタンク本体側）に当接する。
【００１５】
その結果、金属カラーのフランジ部と固定片との接触部が燃料タンクの本体側に移動するので、固定片と金属カラーのフランジ部とが一カ所で当接し続けることを防止することができ、例え、金属カラーのフランジ部の当接部に当接している固定片が溶融し、また、溶融し続けた場合であっても、燃料タンクの落下を遅延させることができ、耐炎性を向上させることができる。また、熱害プロテクタ設置スペースが不要となり、また、熱害プロテクタ設置に伴う重量増やコスト増を抑制することができる。
【発明の効果】
【００１６】
上記の燃料タンクの取付構造において、車両下方から見ると、固定片における筒本体近傍は、金属カラーのフランジ部に覆われている。そして、フランジ部においては、燃料タンクの固定片の車体とは反対側の面は、フランジ部の当接部と当接し、外側フランジ部とは当接していない。
したがって、外側フランジ部は、固定片における筒本体近傍から少し離れた領域が炎に直接曝されることを防止することができる。
【００１７】
また、外側フランジ部は、固定片に当接していないので、炎によって、金属カラーが過熱され、この熱により、金属カラーのフランジ部の当接部に当接している固定片が軟化・溶融され、固定片が、燃料タンクの重さにより下方に変形しても、変形した固定片が、さらに当接部の外周からその径方向外側に形成されている外側フランジ部に移動する。
その結果、金属カラーのフランジ部の当接部に当接している固定片の軟化が溶融し、また、溶融し続けた場合であっても、固定片は依然として外側フランジ部と当接しており、すなわち、フランジに対する固定片の当接部分が当接部から外側フランジ部（燃料タンクのタンク本体側）に移動することにより、燃料タンクの落下を遅延させることができ、耐炎性を向上させることができる。
【図面の簡単な説明】
【００１８】
【図１】車体に燃料タンクが取付けられた状態を示す車両下方から見た概略図である。
【図２】本発明の第１の実施形態を示す燃料タンクの取付構造の車両下方から見た概略図であり、図１におけるＡ部拡大図である。
【図３】本発明の第１の実施形態であり、燃料タンクを車体に取付けたときの燃料タンクの取付構造の概略断面図である（図２のＸ−Ｘ断面）。
【図４】本発明の第１の実施形態であり、燃料タンクの固定片が変形したときの燃料タンクの取付構造の概略断面図である（図２のＸ−Ｘ断面）。
【図５】本発明の第１の実施形態であり、燃料タンクの固定片の変形がさらに進行したときの燃料タンクの取付構造の概略断面図である（図２のＸ−Ｘ断面）。
【図６】本発明の第２の実施形態を示す燃料タンクの取付構造の車両下方から見た概略図であり、図１におけるＡ部拡大図である。
【図７】本発明の第２の実施形態であり、燃料タンクを車体に取付けたときの燃料タンクの取付構造の概略断面図である（図６のＸ−Ｘ断面）。
【図８】本発明の第２の実施形態であり、燃料タンクの固定片が変形したときの燃料タンクの取付構造の概略断面図である（図６のＸ−Ｘ断面）。
【図９】本発明の第２の実施形態であり、燃料タンクの固定片の変形がさらに進行したときの燃料タンクの取付構造の概略断面図である（図６のＸ−Ｘ断面）。
【図１０】従来の燃料タンクが車体に取付けられた状態を示す断面図である。
【図１１】図１０のＢ部の拡大図である。
【発明を実施するための形態】
【００１９】
［第１の実施形態］
図１から図５に基づき、本発明の第１の実施形態の燃料タンク１の取付構造について説明する。
燃料タンク１は図１に示すように、タンク本体２とタンク本体２の側面部から外側に突出し、車体５への固定に使用される平板状の固定片３を備えている。固定片３には、後に詳述する金属カラー４の筒本体４１が挿通される貫通孔３１（図３）が形成されている。そして、燃料タンク１は、詳細は図示しないが、車両前後方向に所定の間隔をあけて配置されるクロスメンバ６、６間に配置され、図３に示すように、固定片３の貫通孔３１に金属カラー４の筒本体４１を車体５の下方から挿通した後、締結部材として金属製のボルト７とナット８を使用し、ボルト７を、座金９を介して、金属カラー４の筒本体４１に車体５の下方から挿入し、ナット８によって、固定片３が各クロスメンバ６、６の所定の固定箇所に取付けられて固定される。
【００２０】
なお、図１に示す燃料タンク１は、タンク本体２が平面形状で長方形であり、車両の前後および車幅方向に線対称な形状に描かれているが、平面形状は適宜選択でき、非対称な形状とすることもできる。
【００２１】
また、固定片３の形状も適宜選択でき、数、大きさや厚さについても燃料タンク１が固定可能な範囲で適宜選択できる。なお、固定片３の厚さは、厚いほど、炎に曝されても軟化・溶融し難く、耐炎性に優れるが、重量の増加を招く。
【００２２】
燃料タンク１は、エンジンに供給するガソリン等の燃料を貯留する容器であり、高密度ポリエチレンを主成分とする樹脂からなる成形体である。
【００２３】
金属カラー４は、燃料タンク１を構成する樹脂より耐炎性、耐熱性に優れる、例えば、鉄、鉄合金やステンレス等の金属からなる。金属カラー４は筒本体４１と筒本体４１下方であって、その筒本体４１の径方向外側に拡がるフランジ部４２を備えている。図２において、金属カラー４のフランジ部４２は、円形であるが、例えば、多角形状等異なる形状であってもよい。
【００２４】
図３に示すように、フランジ部４２の筒本体４１側には、固定片３の車体５とは反対側の面に当接する当接部４３と、当接部４３の外周からその径方向外側に拡がり、その拡がりが固定片３における車体５とは反対側から離れる方向である傾斜部４５が形成されている。さらに、傾斜部４５の当接部４３とは反対側の端部には、その径方向外側に拡がる鍔部４６が形成されている。傾斜部４５または傾斜部４５と鍔部４６が外側フランジ部４４を形成する。なお、鍔部４６は、本件発明の趣旨からは、必ずしも必要ではないが、プレス加工等で傾斜部４５を精度よく形成する観点から設けられている。
【００２５】
図２および図３に示すように、金属カラー４のフランジ部４２は、固定片３の下方を覆う面積が大きく形成されているので、特に、固定片３における金属カラー４の筒本体４１近傍領域が炎に曝されることを防止することができる。
【００２６】
次に、車体５の下方が炎に曝されたときの、固定片３の動きと、金属カラー４のフランジ部４２の外側フランジ部４４の働きについて、図４と図５に基づいて説明する。
車体５の下方が炎に曝され、金属カラー４のフランジ部４２が熱せられると、固定片３のフランジ部４２と当接している、すなわち、フランジ部４２の当接部４３における固定片３の樹脂が軟化・溶融し始める。その結果、燃料が貯留されている燃料タンク１の自重により、固定片３が下方に変形を生じる。
【００２７】
そのとき、フランジ部４２には、当接部４３の外周からその径方向外側に拡がり、その拡がりが固定片３における車体５とは反対側から離れる方向である傾斜部４５が形成されているので、図４に示すように、固定片３とフランジ部４２との当接部分が、傾斜部４５の方向に移動する。一方、固定片３のタンク本体２の反対側では、金属カラー４の筒本体４１近傍の樹脂は溶融するが、燃料タンク１の自重により、固定片３が下方に変形することに伴い、フランジ部４２から離れる、すなわち、当接しない状態になる。
【００２８】
さらに、金属カラー４のフランジ部４２が熱せられると、固定片３のフランジ部４２と当接している、すなわち、フランジ部４２の当接部４３および傾斜部４５の一部における固定片３の樹脂が軟化・溶融し始める。その結果、燃料が貯留されている燃料タンク１の自重により、固定片３がさらに下方に変形を生じる。
【００２９】
その結果、図５に示すように、固定片３と金属カラー４のフランジ部４２の当接部分は、傾斜部４５と鍔部４６方向に、図４からさらに外側（燃料タンク１のタンク本体２側）に移動することになる。また、固定片３における金属カラー４の筒本体４１近傍の樹脂がフランジ部４２から離れる現象は顕著になる。
【００３０】
したがって、金属カラー４のフランジ部４２と固定片３との当接部分が、傾斜部４５を設けることにより、燃料タンク１の自重に伴う固定片３の変形に伴い、傾斜部４５側（燃料タンク１のタンク本体２側）に移動することになるので、一カ所で溶融し続けることを防止し、燃料タンク１の落下を遅延させることができ、耐炎性を向上させることができる。また、熱害プロテクタ設置スペースが不要となり、熱害プロテクタ設置に伴う重量増やコスト増を抑制することができる。
【００３１】
［第２の実施形態］
図１、図２、図６から図９に基づき、本発明の第２の実施形態の燃料タンク１の取付構造について説明する。本発明の第２の実施形態において、上述の第１の実施形態と異なる点は、第１に、固定片３に関し、固定片３は、車体下方向において、貫通孔３１近傍に肉厚部３２を有している点、第２に、金属カラー４のフランジ部４２は、固定片３の肉厚部３２における車体５とは反対側の面に当接される当接部４３と、当接部４３の外周からその径方向外側に延設される外側フランジ部４４を有しているが、外側フランジ部４４には、傾斜部４５が形成されていない点にある。なお、本第２の実施形態に関し、使用する燃料タンク１および固定片３の車体５のクロスメンバ６への取付方法は、第１の実施形態と同じである。また、肉厚部３２は、車体上下方向に形成してもよい。
【００３２】
図７に示すように、固定片３の貫通孔３１に金属カラー４の筒本体４１を車体５の下方から挿通した後、金属製のボルト７を、座金９を介して、金属カラー４の筒本体４１に車体５の下方から挿入し、ナット８によって、固定片３が各クロスメンバ６、６の所定の固定箇所に取付けられて固定される。このとき、金属カラー４のフランジ部４２には、固定片３の肉厚部３２が当接する。ここで、この肉厚部３２が当接したフランジ部４２の一部分をフランジ部４２の当接部４３といい、他の部分をフランジ部４２の外側フランジ部４４という。
【００３３】
次に、車体５の下方が炎に曝されたときの、固定片３の動きと、金属カラー４のフランジ部４２の外側フランジ部４４との関係について、図８と図９に基づいて説明する。
車体５の下方が炎に曝され、金属カラー４のフランジ部４２が過熱されると、固定片３のフランジ部４２と当接している部分、すなわち、フランジ部４２の当接部４３における固定片３の肉厚部３２の樹脂が軟化・溶融し始める。その結果、燃料が貯留されている燃料タンク１の自重により、固定片３が下方に変形を生じる。
【００３４】
そのとき、図８に示すように、固定片３とフランジ部４２との当接部分が、燃料タンク１のタンク本体２側の外側フランジ部４４方向に移動する。一方、固定片３のタンク本体２の反対側では、金属カラー４の筒本体４１近傍の樹脂は溶融するが、燃料タンク１の自重により、固定片３が下方に変形することに伴い、フランジ部４２から離れる、すなわち、当接しない状態になる。
【００３５】
さらに、金属カラー４のフランジ部４２が熱せられると、固定片３のフランジ部４２と当接している樹脂が軟化・溶融し始める。その結果、燃料が貯留されている燃料タンク１の自重により、固定片３がさらに下方に変形を生じる。
【００３６】
その結果、図９に示すように、固定片３と金属カラー４のフランジ部４２の当接部分は、外側フランジ部４４方向に、図８からさらに外側（燃料タンク１のタンク本体２側）に移動することになる。また、固定片３における金属カラー４の筒本体４１近傍の樹脂がフランジ部４２から離れる現象は顕著になる。
【００３７】
したがって、金属カラー４のフランジ部４２と固定片３との当接部分が、固定片３の貫通孔３１近傍に肉厚部３２設けること、金属カラー４のフランジ部４２において、固定片３の肉厚部３２と当接部４３の外周からその径方向外側に延設される外側フランジ部４４を有していることにより、燃料タンク１の自重に伴う固定片３の変形に伴い、外側フランジ部４４側（燃料タンク１のタンク本体２側）に移動することになるので、一カ所で溶融し続けることを防止し、燃料タンク1の落下を遅延させることができ、耐炎性を向上させることができる。また、熱害プロテクタ設置スペースが不要となり、熱害プロテクタ設置に伴う重量増やコスト増を抑制することができる。
【００３８】
本発明の燃料タンクの取付構造は、従来の金属カラーを有する場合に対して、金属カラーの形状変更という単純な構成であり、部品点数を増加することなく耐炎性を高められる上に、重量の増加を非常に小さくできる。また、コストの増大も抑制することができる。さらに、従来の金属カラーを有する場合と燃料タンクの取付作業が実質的に同じであるので、生産性の低下を生じることもない。
【００３９】
本発明の実施にあたっては、上記実施形態に限定されるものではなく、本発明の目的を逸脱しない限りにおいて、種々の変更が可能である。
【００４０】
上記の第１の実施形態では、外側フランジ部４４の傾斜部４５は、図３に示すように、一本の直線形状であったが、複数の直線形状により、段階的に固定片における車体とは反対側から離れる度合いを大きくするようにしてもよい。また、階段状に固定片における車体とは反対側から離れる度合いを大きくするようにしてもよい。
【００４１】
上記の第２の実施形態では、外側フランジ部４４には、傾斜部４５が形成されていなかったが、第１の実施形態と同様に、外側フランジ部４４に傾斜部４５（上記段落の構成を含む）を形成してもよい。
【符号の説明】
【００４２】
１  燃料タンク  
２  タンク本体
３  固定片
３１  貫通孔
３２  肉厚部
４  金属カラー
４１  筒本体
４２  フランジ部
４３  当接部
４４  外側フランジ部
４５  傾斜部
４６  鍔部
５  車体
６  クロスメンバ
７  ボルト
８  ナット
９  座金
【図１】
2020142722.tif 000003
【図２】
2020142722.tif 000004
【図３】
2020142722.tif 000005
【図４】
2020142722.tif 000006
【図５】
2020142722.tif 000007
【図６】
2020142722.tif 000008
【図７】
2020142722.tif 000009
【図８】
2020142722.tif 000010
【図９】
2020142722.tif 000011
【図１０】
2020142722.tif 000012
【図１１】
2020142722.tif 000013